(57)【要約】      （修正有）【課題】展示品の下方周囲を固定することにより、地震から確実に展示品を保護する、展示品固定装置を提供する。【解決手段】耐震装置上に配置固定された鉄板３と、展示品固定用バー５と、展示品固定用スイッチ式磁石４と、展示品固定用バランス調整ボルト８とからなる展示品固定装置において、展示品固定用スイッチ式磁石および展示品固定用バランス調整ボルトは鉄板上に配置されており、展示品固定用バーは固定ボルトにより展示品固定用スイッチ式磁石上部に固定されるとともに、その後方部が展示品固定用バランス調整ボルトにて高低調整可能とされていることを特徴とし、さらに展示品固定用バーの先端部に緩衝装置が配置されている。【選択図】図１
0003186203.tif 000002
【実用新案登録請求の範囲】
【請求項１】
従来の耐震装置上に鉄板を配置固定し、その上に展示品を見学者から見て最良位置に自由自在に配置し、
複数個の展示品固定用スイッチ式磁石上部に、ボルトにて固定されたバ−を展示品下方周囲に配置し、鉄板に展示品の下方を固定する、この時展示品固定バ−の後方にあるバランス調整ボルトにて、より確実に展示品が固定できるよう高さを調整する。
鉄板に固定された展示品は、非常に強い地震に対して展示品はまず耐震装置にて振動は減衰されるため、展示品にかかる転倒荷重は小さくなり、展示品固定用スイッチ式磁石にて固定された展示品は、より安全で確実に保護され展示品の転倒・落下による破損．損傷を防止することを特徴とする展示品固定装置。
【請求項２】
前記、耐震装置の大きさおよび耐震装置上に乗せる鉄板の大きさを自由に選択配置すると同時に、展示品固定スイッチ式磁石の吸着力も変更できることにより、展示品の大きさに制限がないことを特徴とする請求項１に記載の展示品固定装置。
【請求項３】
前記、展示品固定用スイッチ式磁石で展示品を固定するとき、展示品を傷つけないよう、展示品固定スイッチ式磁石上部にボルトにて固定されたバ−の先端部に、緩衝装置が配置されていることを特徴とする請求項１に記載の展示品固定装置。
【請求項４】
前記、展示品固定がスイッチ式磁石であり展示品固定および解除がスイッチにて、ワンタッチで操作できることを特徴とする請求項１に記載の展示品固定装置。
【考案の詳細な説明】
【技術分野】
【０００１】  本考案は、展示品を地震等によって、転倒・落下による破損・損傷を防止して展示し続けることを目的とした、展示品固定装置に関する。
【背景技術】
【０００２】  上述したように、地震発生時展示品が展示場所から転倒したり、落下による破損．損傷を防ぐために、多くの提案がなされている。
従来の固定装置として、展示品底辺に鉄板を配置その鉄板を磁化して固定に関する装置が提案されている（例えば実願文献１参照）【０００３】  他の固定装置としては、展示品の下方を固定して、展示品を地震から保護する装置等がある（例えば文献２参照）。【０００４】  その他では、ガラス展示品の下方を接着固定して、地震から展示品を保護する装置等がある（例えば文献３参照）。
【先行技術文献】
【実願文献】
【０００５】
【実願文献１】
実願２０１２−００１１０７
【実願文献２】
実願２０１２−００３４３９
【実願文献３】
実願２０１２−００４７４４
【考案の概要】
【考案が解決しようとする課題】
【０００６】  実願文献１に示されたさ装置では、従来の耐震装置の上に磁性体を配置し、展示品下方に鉄板を固定する方法では、展示品の底辺に鉄板を固定するとき、接着剤・ネジ・釘等での固定方法が許可されない問題がある。【０００７】  実願文献２に示された装置では、展示品固定及び緊急時の解除に時間を要す等の問題がある。【０００８】  実願文献３に示された装置では、接着剤での展示品固定方法であり、展示品に接着剤の利用ができない場合が多い問題がある。
【課題を解決するための手段】
【０００９】  本考案は、従来の耐震装置上に鉄板を配置固定し、その上に展示品を見学者から見て最良位置に自由自在に配置し、
複数個の展示品固定用スイッチ式磁石上部に、ボルトにて固定されたバ−を展示品下方周囲に配置し、鉄板に展示品の下方を固定する、この時展示品固定バ−の後方にあるバランス調整ボルトにて、より確実に固定できるよう高さを調整する。
鉄板に固定された展示品は、非常に強い地震に対してまず耐震装置にて振動は減衰されるため、展示品にかかる転倒荷重は小さくなり、展示品固定用スイッチ式磁石にて固定された展示品は、より安全で確実に保護され、展示品の転倒・落下による破損．損傷を防止することを特徴とする展示品固定装置。
前記、耐震装置および耐震装置上に乗せる鉄板の大きさを自由に選択配置すると同時に、展示品固定スイッチ式磁石の吸着力も変更できることにより、展示品の大きさに制限がないことを特徴とする展示品固定装置。
前記、展示品固定用スイッチ式磁石で展示品を固定するとき、展示品を傷つけないよう、展示品固定スイッチ式磁石上部にボルトにて固定されたバ−の先端部に緩衝装置が配置されていることを特徴とする展示品固定装置。
前記、展示品固定がスイッチ式磁石であり展示品固定および解除がスイッチにて、ワンタッチで操作できることを特徴とする展示品固定装置。
【考案の効果】
【００１０】  本考案は、以上に説明したように、構成されるものであるから、次に述べる効果がある。【００１１】  本考案では、耐震装置に固定された鉄板上に、展示品を見学者に対し最良の位置に配置し、展示品の下方周囲を展示品固定用スイッチ式磁石にて固定することにより、地震の強弱・展示品の大小に関係なく、安全で確実に展示品を保護できる効果がある。【００１２】  本考案では、展示品の大小に関係なく対応でき、経済的でかつ効率的な展示品固定装置を提供できる効果。
【考案を実施するための最良の形態】
【００１３】  本考案は、今まで述べたとおり展示品を、耐震装置上の鉄板に見学者の目線で最良の位置に配置し、展示品固定用スイッチ式磁石を展示品の周囲に配置後、展示品固定用スイッチ式磁石を作動させ展示品を固定することにより、展示品を地震から安全で確実に保護する。
【実施例】
【００１４】  以下、添付図面に従って一実施例を説明する。展示品を仏像（１）とし、図１は展示品固定用スイッチ式磁石一式（９）で、仏像（１）底辺部を固定した状態の斜視図である。図２は、展示品固定用スイッチ式磁石一式（９）の平面図である。【００１５】  実施例は、図１で示す通り、仏像（１）は高さ１．５ｍで、底辺直径は約４０ｃｍあり、従来の耐震装置（２）の大きさを一辺１ｍとし、鉄板（３）もその大きさに合わせて耐震装置（２）に固定。【００１６】  鉄板の上に仏像（１）を乗せ、展示品固定用スイッチ式磁石一式（９）を最良位置に置き、展示品固定バ−（５）を仏像（１）底辺で最良位置になるよう固定ボルト（７）にて調整して、スイッチ式磁石（４）に固定する。【００１７】  次に展示品固定バ−（５）の後方にあるバランスボルト（８）にて、仏像（１）押さえの最終調整して完了し、仏像（１）は地震から確実に保護される。
【図面の簡単な説明】
【００１８】
【図１】  展示品固定用スイッチ式磁石一式（９）で、仏像（１）底辺部を固定した状態の斜視図である。
【図２】  展示品固定用スイッチ式磁石一式（９）の平面図である。
【符号の説明】
【００１９】１  展示品
２  従来の耐震装置
３  鉄板
４  展示品固定用スイッチ式磁石
５  展示品固定バ−
６  緩衝装置
７  展示品固定バ−を調整してスイッチ式磁石への固定ボルト
８  展示品固定バ−バランス調整ボルト
９  展示品固定用スイッチ式磁石一式
【図１】
0003186203.tif 000003
【図２】
0003186203.tif 000004
【手続補正書】
【提出日】平成25年4月30日(2013.4.30)
【手続補正１】
【補正対象書類名】実用新案登録請求の範囲
【補正対象項目名】全文
【補正方法】変更
【補正の内容】
【実用新案登録請求の範囲】
【請求項１】
耐震装置上に鉄板を配置固定と、
展示品固定用バーを展示品固定用スイッチ式磁石上部への固定と、
展示品固定用バーの後方に展示品固定用バランス調整ボルトを有することを特徴とする展示品固定装置。
【請求項２】
前記、展示品固定用バーの先端部に緩衝装置が配置されていることを特徴とする請求項１に記載の展示品固定装置。
【手続補正２】
【補正対象書類名】明細書
【補正対象項目名】全文
【補正方法】変更
【補正の内容】
【考案の詳細な説明】
【技術分野】
【０００１】  本考案は、展示品を地震等によって、転倒・落下による破損・損傷を防止して展示し続けることを目的とした、展示品固定装置に関する。
【背景技術】
【０００２】  上述したように、地震発生時展示品が展示場所から転倒したり、落下による破損．損傷を防ぐために、多くの提案がなされている。
従来の固定装置として、展示品底辺に鉄板を配置し、その鉄板を磁化して固定に関する装置が提案されている（例えば実願文献１参照）。【０００３】  他の固定装置としては、展示品の下方を固定して、展示品を地震から保護する装置等がある（例えば文献２参照）。【０００４】  その他では、ガラス展示品の下方を接着固定して、地震から展示品を保護する装置等がある（例えば文献３参照）。
【先行技術文献】
【実願文献】
【０００５】
【実願文献１】
実願２０１２−００１１０７
【実願文献２】
実願２０１２−００３４３９
【実願文献３】
実願２０１２−００４７４４
【考案の概要】
【考案が解決しようとする課題】
【０００６】  実願文献１に示されたさ装置では、従来の耐震装置の上に磁性体を配置し、展示品下方に鉄板を固定する方法では、展示品の底辺に鉄板を固定するとき、接着剤・ネジ・釘等での固定方法が許可されない場合が多い問題がある。【０００７】  実願文献２に示された装置では、展示品固定及び緊急時の解除に時間を要す等の問題がある。【０００８】  実願文献３に示された装置では、接着剤での展示品固定方法であり、展示品に接着剤の利用ができない場合が多い問題がある。
【課題を解決するための手段】
【０００９】  本考案は、
耐震装置上に鉄板を配置固定と、
展示品固定用バーを展示品固定用スイッチ式磁石上部への固定と、
展示品固定用バーの後方に展示品固定用バランス調整ボルトを有することを特徴とする展示品固定装置である。
前記、展示品固定用バーの先端部に緩衝装置が配置されていることを特徴とする展示品固定装置である。
前記、鉄板上に置く展示品を、見学者から見て最良の位置に配置し、展示品固定用スイッチ式磁石上部に固定されたバーにて固定する。
また、より強度に展示品を固定するため設けられた、固定バー後方部のバランス調整ボルトにて高低を調整し、確実に展示品を固定できる。
【考案の効果】
【００１０】  本考案は、以上に説明したように、構成されるものであるから、次に述べる効果がある。【００１１】  本考案では、鉄板に固定された展示品は、非常に強い地震に対してまず耐震装置にて振動は減衰されるため、展示品にかかる転倒荷重は小さくなり、展示品固定用スイッチ式磁石にて固定された展示品は、より安全で確実に保護され、展示品の転倒・落下による破損．損傷を防止する効果。【００１２】  本考案では、耐震装置に固定された鉄板上に、展示品を見学者に対し最良の位置に配置し、展示品の下方周囲を複数個の展示品固定用スイッチ式磁石にて固定することにより、地震の強弱に関係なく、安全で確実に展示品を保護できる効果がある。【００１３】  本考案では、耐震装置および耐震装置上に乗せる鉄板の大きさを自由に選択配置すると同時に、展示品固定スイッチ式磁石の吸着力も変更できることにより展示品の大きさに制限がない効果。【００１４】  本考案では、展示品固定用スイッチ式磁石で展示品を固定するとき、展示品を傷つけないよう、展示品固定スイッチ式磁石上部に、ボルトにて固定されたバーの先端部に、緩衝装置が配置され展示品をより安全に保護できる効果。【００１５】  本考案では、展示品固定がスイッチ式磁石であり展示品固定および解除がスイッチにて、ワンタッチで操作でき短時間での展示品移動が可能な効果。
【考案を実施するための最良の形態】
【００１６】  本考案は、今まで述べたとおり展示品を、耐震装置上の鉄板に見学者の目線で最良の位置に配置し、展示品固定用スイッチ式磁石を展示品の周囲に配置後、展示品固定用スイッチ式磁石を作動させ展示品を固定することにより、展示品を地震から安全で確実に保護する。
【実施例】
【００１７】  以下、添付図面に従って一実施例を説明する。展示品を仏像（１）とし、図１は展示品固定用スイッチ式磁石一式（９）で、仏像（１）底辺部を固定した状態の斜視図である。図２は、展示品固定用スイッチ式磁石一式（９）の平面図である。【００１８】  実施例は、図１で示す通り、仏像（１）は高さ１．５ｍで、底辺直径は約４０ｃｍあり、耐震装置（２）の大きさを一辺１ｍとし、鉄板（３）もその大きさに合わせて耐震装置（２）に固定。【００１９】  鉄板（３）の上に展示品（１）を乗せ、展示品固定用スイッチ式磁石一式（９）を最良位置に置き、展示品固定用バー（５）を仏像（１）底辺で最良位置になるよう調整しボルト（７）にて固定後、スイッチ式磁石（４）をオンとして仏像（１）を固定する。【００２０】  次に展示品固定バー（５）の後方にあるバランス調整ボルト（８）にて、仏像（１）押さえの最終調整で、仏像（１）は地震から確実に保護される。
【図面の簡単な説明】
【００２１】
【図１】  展示品固定用スイッチ式磁石一式（９）で、仏像（１）底辺部を固定した状態の斜視図である。
【図２】  展示品固定用スイッチ式磁石一式（９）の平面図である。
【符号の説明】
【００２２】  １  展示品
２  耐震装置
３  鉄板
４  展示品固定用スイッチ式磁石
５  展示品固定用バー
６  緩衝装置
７  展示品固定バーを調整してスイッチ式磁石への固定ボルト
８  展示品固定バーバランス調整ボルト
９  展示品固定用スイッチ式磁石一式
【手続補正書】
【提出日】平成25年7月11日(2013.7.11)
【手続補正１】
【補正対象書類名】実用新案登録請求の範囲
【補正対象項目名】全文
【補正方法】変更
【補正の内容】
【実用新案登録請求の範囲】
【請求項１】
耐震装置上に配置固定された鉄板と、展示品固定用バ−と、展示品固定用スイッチ式磁石と、展示品固定用バランス調整ボルトとからなる展示品固定装置において、
前記展示品固定用スイッチ式磁石および前記展示品固定用バランス調整ボルトは前記鉄板上に配置されており、
前記展示品固定用バ−は固定ボルトにより前記展示品固定用スイッチ式磁石上部に固定されるとともに、その後方部が前記展示品固定用バランス調整ボルトにて高低調整可能とされていることを特徴とする展示品固定装置。
【請求項２】
前記展示品固定用バ−の先端部に緩衝装置が配置されていることを特徴とする請求項１に記載の展示品固定装置。
【手続補正２】
【補正対象書類名】明細書
【補正対象項目名】全文
【補正方法】変更
【補正の内容】
【考案の詳細な説明】
【技術分野】
【０００１】  本考案は、展示品を地震等によって、転倒・落下による破損・損傷を防止して展示し続けることを目的とした、展示品固定装置に関する。
【背景技術】
【０００２】  上述したように、地震発生時展示品が展示場所から転倒したり、落下による破損．損傷を防ぐために、多くの提案がなされている。
従来の固定装置として、展示品底辺に鉄板を配置し、その鉄板を磁化して固定に関する装置が提案されている（例えば実願文献１参照）。【０００３】  他の固定装置としては、展示品の下方を固定して、展示品を地震から保護する装置等がある（例えば文献２参照）。【０００４】  その他では、ガラス展示品の下方を接着固定して、地震から展示品を保護する装置等がある（例えば文献３参照）。
【先行技術文献】
【実願文献】
【０００５】
【実願文献１】
実願２０１２−００１１０７
【実願文献２】
実願２０１２−００３４３９
【実願文献３】
実願２０１２−００４７４４
【考案の概要】
【考案が解決しようとする課題】
【０００６】  実願文献１に示されたさ装置では、従来の耐震装置の上に磁性体を配置し、展示品下方に鉄板を固定する方法では、展示品の底辺に鉄板を固定するとき、接着剤・ネジ・釘等での固定方法が許可されない場合が多い問題がある。【０００７】  実願文献２に示された装置では、展示品固定及び緊急時の解除に時間を要す等の問題がある。【０００８】  実願文献３に示された装置では、接着剤での展示品固定方法であり、展示品に接着剤の利用ができない場合が多い問題がある。
【課題を解決するための手段】
【０００９】  本考案は、
耐震装置上に配置固定された鉄板と、展示品固定用バ−と、展示品固定用スイッチ式磁石と、展示品固定用バランス調整ボルトとからなる展示品固定装置において、
前記展示品固定用スイッチ式磁石および前期展示品固定用バランス調整ボルトは前記鉄板上に配置されており、
前記展示品固定用バ−は固定ボルトにより前記展示品固定用スイッチ式磁石上部に固定されるとともに、その後方部が前記展示品固定用バランス調整ボルトにて高低調整可能とされていることを特徴とする展示品固定装置。
前記、展示品固定用バ−の先端部に緩衝装置が配置されていることを特徴とする展示品固定装置である。
前記、鉄板上に置く展示品を、見学者から見て最良の位置に配置し、展示品固定用スイッチ式磁石上部に固定されたバ−にて固定する。
また、より強度に展示品を固定するため設けられた、固定バ−後方部のバランス調整ボルトにて高低を調整し、確実に展示品を固定できる。
【考案の効果】
【００１０】  本考案は、以上に説明したように、構成されるものであるから、次に述べる効果がある。【００１１】  本考案では、鉄板に固定された展示品は、非常に強い地震に対してまず耐震装置にて振動は減衰されるため、展示品にかかる転倒荷重は小さくなり、展示品固定用スイッチ式磁石にて固定された展示品は、より安全で確実に保護され、展示品の転倒・落下による破損．損傷を防止する効果。【００１２】  本考案では、耐震装置に固定された鉄板上に、展示品を見学者に対し最良の位置に配置し、展示品の下方周囲を複数個の展示品固定用スイッチ式磁石にて固定することにより、地震の強弱に関係なく、安全で確実に展示品を保護できる効果がある。【００１３】  本考案では、耐震装置および耐震装置上に乗せる鉄板の大きさを自由に選択配置すると同時に、展示品固定スイッチ式磁石の吸着力も変更できることにより展示品の大きさに制限がない効果。【００１４】  本考案では、展示品固定用スイッチ式磁石で展示品を固定するとき、展示品を傷つけないよう、展示品固定スイッチ式磁石上部に、ボルトにて固定されたバ−の先端部に、緩衝装置が配置され展示品をより安全に保護できる効果。【００１５】  本考案では、展示品固定がスイッチ式磁石であり展示品固定および解除がスイッチにて、ワンタッチで操作でき短時間での展示品移動が可能な効果。
【考案を実施するための最良の形態】
【００１６】  本考案は、今まで述べたとおり展示品を、耐震装置上の鉄板に見学者の目線で最良の位置に配置し、展示品固定用スイッチ式磁石を展示品の周囲に配置後、展示品固定用スイッチ式磁石を作動させ展示品を固定することにより、展示品を地震から安全で確実に保護する。
【実施例】
【００１７】  以下、添付図面に従って一実施例を説明する。展示品を仏像（１）とし、図１は展示品固定用スイッチ式磁石一式（９）で、仏像（１）底辺部を固定した状態の斜視図である。図２は、展示品固定用スイッチ式磁石一式（９）の平面図である。【００１８】  実施例は、図１で示す通り、仏像（１）は高さ１．５ｍで、底辺直径は約４０ｃｍあり、耐震装置（２）の大きさを一辺１ｍとし、鉄板（３）もその大きさに合わせて耐震装置（２）に固定。【００１９】  鉄板（３）の上に展示品（１）を乗せ、展示品固定用スイッチ式磁石一式（９）を最良位置に置き、展示品固定用バ−（５）を仏像（１）底辺で最良位置になるよう調整しボルト（７）にて固定後、スイッチ式磁石（４）をオンとして仏像（１）を固定する。【００２０】  次に展示品固定バ−（５）の後方にあるバランス調整ボルト（８）にて、仏像（１）押さえの最終調整で、仏像（１）は地震から確実に保護される。
【図面の簡単な説明】
【００２１】
【図１】  展示品固定用スイッチ式磁石一式（９）で、仏像（１）底辺部を固定した状態の斜視図である。
【図２】  展示品固定用スイッチ式磁石一式（９）の平面図である。
【符号の説明】
【００２２】１  展示品
２  耐震装置
３  鉄板
４  展示品固定用スイッチ式磁石
５  展示品固定用バ−
６  緩衝装置
７  展示品固定バ−を調整してスイッチ式磁石への固定ボルト
８  展示品固定バ−バランス調整ボルト
９  展示品固定用スイッチ式磁石一式